(57)【要約】      （修正有）【課題】棚板を増設して拡充するのに便利な組み立て式棚を提供する。【解決手段】組み立て式棚は、棚板２０の四つのコーナー部位に連結フック３０を用い、連結フック３０は棚板２０の四つのコーナー部位に嵌め込まれる組立部３１、及び組立部３１の片側に一体に延設されたフック部３２を含み、当該組立部３１に接続・設置されたフック部３２の基部の上縁及び下縁には、棚板２０の四つのコーナーの円弧形の切り欠き２１の階段抵触部３３がそれにぴたりと適合するように形成されており、結合の強固性を獲得できる。組立部３１の外縁面には棚板２０のコーナーの側面に予め設置された穿孔２２に合わせて、それに対応する凸嵌柱３４が形成されている。当該凸嵌柱３４と階段抵触部３３の組み合わせにより、連結フック３０を棚板２０の四つのコーナー部位に強固に結合することができる。【選択図】図２
0003227864.tif 000002
【実用新案登録請求の範囲】
【請求項１】
一組の棒体が連結されてなる連結枠棒と棚板とを各複数含み、前記棚板の四つのコーナー部位にそれぞれ連結フックが嵌め設けられており、前記連結フックは前記連結枠棒の棒体に係合可能に形成されたフック部を有する拡充可能な組み立て式棚であって、
各前記連結フックは前記棚板の四つのコーナー部位に結合される組立部と、前記組立部の片側に一体に延設されたフック部とを含み、前記連結フックの前記組立部は材質及びタイプの異なる前記棚板が有する異なる構造または態様に対応可能に形成されており、前記連結フックの前記フック部は前記連結フックの上面と下面の間の厚さの１／２の厚さに形成されており、また前記連結フックのフック溝は前記連結枠棒の各前記棒体の外周面の形状に合わせて円柱状を含む多面柱の形態に形成されており、前記連結フックが前記棚板の四つのコーナー部位に嵌め設けられる場合、前記棚板が両側で隣接する前記棚板と互いに対向するため、各前記棚板の互いに対向する側の対応するコーナー部位に嵌め設けられた一方の前記連結フックの前記フック部と、他方の前記連結フックの前記フック部とは相補的に重なり合って一体となるように形成されており、これにより使用者が前記組み立て式棚を横方向へ拡充しようとする時、前記連結枠棒を増設するだけで、増設される前記棚板の各前記連結フックを既に存在する前記連結枠棒と増設される前記連結枠棒との間に組み立て可能であることを特徴とする組み立て式棚。
【請求項２】
各前記連結フックは、その前記組立部に接続・設置された前記フック部の基部の上縁及び下縁には金属板からなる前記棚板の四つのコーナーの円弧形の切り欠きの階段抵触部が適合可能に形成されており、それにより各前記連結フックによる結合状態が強固となり、前記組立部の外縁面には前記棚板のコーナー側面に設置された穿孔に対応する凸嵌柱が形成されており、前記凸嵌柱と前記階段抵触部の組合せにより、使用者が各前記連結フックを前記金属板からなる棚板の四つのコーナー部位に強固に結合できることを特徴とする請求項１に記載の組み立て式棚。
【請求項３】
各前記連結フックの前記組立部は枠槽を有し、前記枠槽は合板またはガラスラミネート金属枠からなる前記棚板のコーナー部位が嵌合可能に形成されており、また前記枠槽には挿入棒が突設されており、前記挿入棒は前記合板またはガラス金属枠からなる前記棚板のコーナー部位の側辺に設置された差込口に係合し、前記連結フックと前記合板またはガラス金属枠からなる前記棚板とを結合できることを特徴とする請求項１に記載の組み立て式棚。
【請求項４】
各前記連結フックの前記組立部が嵌め溝を有し、前記嵌め溝は複数の鉄棒からなる前記棚板の側辺双棒が嵌合可能に形成されており、また複数の鉄棒からなる前記棚板の端棒の端部が嵌挿可能な孔が設けられており、これにより複数の鉄棒からなる前記棚板と各前記連結フックが係合できることを特徴とする請求項１に記載の組み立て式棚。
【請求項５】
各前記連結フックの前記組立部が嵌め溝を有し、前記嵌め溝は金属板からなる前記棚板の端部が嵌合可能に形成されており、また孔が設けられており、それにより前記金属板からなる前記棚板と各前記連結フックとが係合したあと、ボルトとナットのセットで締結され、その結合関係が固定されることを特徴とする請求項１に記載の組み立て式棚。
【考案の詳細な説明】
【技術分野】
【０００１】
本考案は組み立て式棚に関するものであり、棚板の四つのコーナー部位に組み付けた連結フックにより棚を追加して拡充する必要に迫られた時、組み立て式棚を拡充することができ、非常に良好な利便性と実用性を達成するものである。
【背景技術】
【０００２】
現代において住居及び事務室の空間変化に対応する必要がある場合、伝統的な固定式家具では、設置可能な空間が限られるために配置上の制約が生じることが多いが、このような問題を解決するため、使用上のニーズによって組立形態または組立規格を任意に調整できる組み立て式家具が生みだされている。また、それらの組み立て式家具の利用により、妥当かつ柔軟な空間企画が可能となっている。
【０００３】
現在、市場で販売されている組み立て式棚には、概ね、木製、プラスチック製及び金属製などの製品があり、金属製組み立て式棚は価格が比較的高いものの、これらの中では最も堅固で耐久性が高いので、消費者に愛用されており、組み立て式棚商品のなかで重要な役割を果たしている。
【０００４】
従来の組み立て式金属製棚を見ると、一般的にはボルトでロックする方法で棚板と枠を固定するものや、棚板のコーナー部位の一体成型ソケットにおいて、枠棒の設置位置決めゴムスリーブに合わせて、設置及び位置決めする方法で棚板と枠を固定するものが多い。これらの技術は金属棚板と枠棒を結合することができるが、その組立作業は比較的面倒くさく、また時間がかかる。とくに、仕切り板の層数とピッチを調整しようとする時には取り崩してから再度組み立てる必要があるためより面倒くさくて不便であり、理想的で完璧であるとは言えない。そのうえ組み立てを拡充することもできず、実用上、さらに多くの制限がある。何とかして問題を改善して解決する必要がある。
【０００５】
出願人は嘗て、組み立て式金属製棚を開発したことがある。それは金属棚板の四つのコーナーを利用して組立フックを組み立て、それに合わせて二本の枠棒にフックを取り付け、組立・成形する組み立て式金属製棚であった。それは組立フックの形態により設計されたもので、棚板と枠棒の組立上、ボルトを用いて螺合する必要がなく、調整上もセット全体を取り崩す必要がなく、層数及び層間距離の調整機能において便利かつ軟性があり、同時に必要に応じて枠棒の数を増加させて横方向へ拡充する実用性を持たせることができる。
【０００６】
しかし、前記組み立て式棚は横方向へ拡充しようとする時に、二本の枠棒を選択し、それらを両側の組み立て式棚の組み立ての接点とすることによって初めて、両側の棚板がそれぞれ各自の棒を持つことが可能になるため、フック組立時に互いに妨害または結合しないようにはできない。この場合、組立に制限が生じると同時に、追加する二本の枠棒が組み立てコスト全体の増加要因になり、製品の経済的利益にはならない。何とかしてこの問題を改善して解決する必要がある。
【考案の概要】
【考案が解決しようとする課題】
【０００７】
本考案は、既存の金属製棚の棚板と枠棒の組立フックが拡充する必要性に迫られた時に派生する問題と欠点に鑑みて、これらの問題と欠点を改善して解決することを目的とする。
【０００８】
拡充効果を達成するため、本考案の組み立て式棚は、主に異なる材質、タイプの棚板に対して連結フックの結合部を異なる構造・態様に形成し、それにより連結フックを、金属板の組み立て式棚、鉄棒の組み立て式棚、板の組み立て式棚またはガラスの組み立て式棚の四つのコーナー部位に組み立てる。また、連結フックのフック部は連結フックの上面と下面の間の厚さの１／２の厚さで設置されており、それにより連結フックを棚板の四つのコーナー部位に組み立てる時に、左右両側のコーナーの連結フックを互いに逆向きに対向する形態で配置することができる。このようにすれば、組み立て式棚の既存の組み立て作業及び使用機能に影響しないため、組み立て式棚を拡充しようとする時、一組の連結枠棒だけを増やせば、増設しようとする棚板を、既存の組み立て式棚の連結枠棒と新規の連結枠棒との間にフックするように設置することができ、また隣接する一方の棚板の連結フックのフック部と対向する他方の棚板の連結フックのフック部とは相補的に重なり合って一体となるように形成されており、ちょうど互いに相補うようにオーバーラップする。これにより、組み立て式棚の拡充という効果を達成する。
【０００９】
本考案の組み立て式棚は、棚板の四つのコーナーの組立フックを用いる。連結フックのフック部は連結フックの上面と下面の間の厚さの１／２の厚さで設計されており、隣接して設置された２つの棚板の互いに対向する側の対応するコーナー部位に嵌め設けられた一方の連結フックのフック部と、他方の連結フックのフック部とは相補的に重なり合って一体となるように形成されていて互いに相補うようにオーバーラップするため、棚板と連結枠棒の既存のフック組立の機能に影響を及ぼすことなく、棚板両側のコーナーに対向するように組み立てる組立方式が可能になる。よって、連結枠棒を一つだけ増やせば、増設しようとする棚板を既存の組み立て式棚の連結枠棒と新規の連結枠棒との間にフックして組み立てることができるため、拡充効果が得られ、非常に良好な実用性と利便性を達成する。
【図面の簡単な説明】
【００１０】
【図１】本考案の第一実施例の全体斜視図である。
【図２】本考案の第一実施例の部分分解斜視図である。
【図３】本考案の第一実施例の部分分解斜視図である。
【図４】本考案の第一実施例の部分斜視図である。
【図５】本考案の第一実施例の部分分解側面図である。
【図６】本考案の第一実施例の部分側面図である。
【図７】本考案の第二実施例の部分分解斜視図である。
【図８】本考案の第三実施例の部分分解斜視図である。
【図９】本考案の第四実施例の部分分解斜視図である。
【図１０】本考案の第五実施例の部分分解斜視図である。
【図１１】本考案の第六実施例の部分分解斜視図である。
【考案を実施するための形態】
【００１１】
本考案の構造及び構成、技術手段及び効果達成については、図面を参照しながら例をあげ、下記のようにさらに具体的に説明する。
【００１２】
（第一実施例）
図１〜図６を参照しながら、本考案の第一実施例について説明する。図１に示すように、本考案は組み立て式棚の横方向への拡充機能を達成する。また、連結枠棒の製造コストを増やさないために、組み立て式棚(10)の連結枠棒(11)は一組の棒体が連結されてなるものとして設計されており、それに対応する棚板(20)の設計においては、棚板(20)の材質と形態に対応して、それに合わせるように各種の異なるタイプの連結フック(30)が製造される。
この実施例における連結フック(30)は金属板タイプの棚板(20)に対応して設計が行なわれており、連結フック(30)は棚板(20)の四つのコーナー部位に嵌め込まれる組立部(31)、及び組立部(31)の片側に一体に延設されたフック部(32)を含み、当該組立部(31)に接続・設置されたフック部(32)の基部の上縁及び下縁には、棚板(20)の四つのコーナーの円弧形の切り欠き(21)の階段抵触部(33)がそれにぴたりと適合するように形成されており、結合の強固性を獲得できる。組立部(31)の外縁面には棚板(20)のコーナーの側面に予め設置された穿孔(22)に合わせて、それに対応する凸嵌柱(34)(図面においては大小一つずつであるが、実際の状況により変更する)が形成されている。当該凸嵌柱(34)と階段抵触部(33)の組み合わせにより、連結フック(30)を棚板(20)の四つのコーナー部位に強固に結合することができる。
また、棚板(20)の組み立てのニーズに合わせて、前記連結フック(30)のフック部(32)は連結フック(30)の上面と下面の間の厚さの１／２の厚さで設計、形成されており、同時に、フック溝(35)は組み立て式棚(10)の連結枠棒(11)の各棒体のサイズと各棒体の外周面の形状に合わせて円弧状でない多面形態で設計が行なわれており、連結フック(30)を棚板(20)の四つのコーナー部位に組み立てる時に、左右両側のコーナーの連結フック(30)を互いに逆向きに対向する形態で配置することができる。それにより、組立フック(30)のフック部(32)は左上右下の構成を呈し、または右上左下の構成を呈する。このようにすることで、組み立て式棚(10)の既存の組み立て作業にも使用機能にも影響しない状況の下で、組み立て式棚(10)を横方向へ拡充しようとする時に、一組の連結枠棒(11)を増加させるだけで、増設しようとする棚板(20)を既存の組み立て式棚(10)の連結枠棒(11)と新規の連結枠棒(11)との間にフックして組み立て、また隣接する棚板(20)の連結フック(30)フック部(32)同士はちょうど互いに相補うようにオーバーラップし、組み立て式棚(10)の拡充目的を達成する。
【００１３】
（第二実施例〜第六実施例）
次に図７〜図１１を参照して説明する。
本考案は、連結フック(30)のフック部(32)が連結フック(30)の上面と下面の間の厚さの１／２の厚さで設計が行なわれることにより、棚板(20)の両側のコーナーの連結フック(30)は互いに逆向きに対向する形態で組み立てられることで、組み立て式棚(10)を横方向へ拡充する時、隣接する組み立て式棚(20)の連結フック(30)のフック部(32)が上下互いに相補うように拡充を達成することがき、また連結フック(30)の組立部(31)は異なる構造・態様に適合するように形成されており、それにより連結フック(30)を、金属板棚板、鉄棒棚板、合板棚板またはガラス棚板の四つのコーナー部位に組み立てることができる。すなわち、前記第一実施例の場合、それは連結フック(30)を使用する金属棚板(20)である。
一方、図７に示す第二実施例は、合板棚板(40)に合わせて設計された連結フック(50)であり、その連結フック(50)の組立部(51)は合板棚板(40)のコーナー部位の枠槽(52)を嵌合するように作られており、また所定箇所に突設した挿入棒(53)は、合板棚板(40)の側辺に予め設置された差込口(41)に差し込んで両者を係合することができ、フック部(54)は同じく１／２の厚さで設計が行なわれており、それにより相隣する合板棚板(40)は互いに相補うようにフック結合する。
図８に示す第三実施例はガラス棚板(60)に合わせて設計した連結フック(70)であり、そのガラス棚板(60)は金属枠(61)とガラス板(62)により組成されているので、その連結フック(70)の組立部(71)は金属枠(60)のコーナー部位の枠槽(72)を嵌合するように作られ、また所定箇所に突設した挿入棒(73)は、金属枠(61)の側辺に予め設置した差込口(63)に合わせて、両者を係合できるようにするためであり、フック部(74)は同じく１／２の厚さで設計が行なわれており、それにより相隣するガラス棚板(60)は互いに相補うようにフック結合することができる。
図９に示す第四実施例は、鉄棒棚板(80)に合わせて設計した連結フック(90)であり、連結フック(90)の組立部(91)は複数の鉄棒を組み合わせてなるタイプの棚板(80)の、側辺双棒(81)の嵌め溝(92)を嵌合するように作られており、また所定箇所に鉄棒棚板(80)の端棒(82)の端部が突挿する穿孔(93)が貫設されており、それにより鉄棒棚板(80) と連結フック(90)を係合できるようにし、フック部(94)は第一実施例と同じく連結フック(90)の上面と下面の間の厚さの１／２の厚さで設計が行なわれており、それにより隣接する鉄棒からなる棚板(80)は互いに相補うようにフック結合することができる。
図１０に示す第五実施例は、金属板からなる棚板(100)に合わせて設計した別の連結フック(110)であり、連結フック(110)の組立部(111)は金属板棚板(100)端部の嵌め溝(112)を嵌合するように作られており、また所定箇所に穿孔(113)が貫設されており、金属板棚板(100)と連結フック(110)をフック結合した後、ボルトとナットのセット(101)で締結されて結合関係を固定され、フック部(114)は同じく連結フック(110)の上面と下面の間の厚さの１／２の厚さで設計が行なわれており、それにより隣接する金属板からなる棚板(100)は互いに相補うようにフック結合される。
図１１に示す第六実施例は、一組の四角柱形状の棒体からなる連結枠棒(121)を有する組み立て式棚(120)に対して設計した連結フック(130)である。その連結フック(130)の組立部(131)は、金属板棚板(122)の端部に嵌め込むように設計されており、また当該組立部(131)には金属棚板(122)の四つのコーナーの円弧形の切り欠きにぴたりと適合するように階段抵触部(132)が設置されており、また金属板棚板(122)のコーナー側面に予め設置した穿孔(123)に合わせて対応する凸嵌柱(133)が形成されている。それらにより、両者を係合可能にする。また、フック部(134)は同じく連結フック(130)の上面と下面の間の厚さの１／２の厚さで設計が行なわれており、そのフック部(134)のフック溝(135)は四角柱連結枠棒(121)に嵌め込むように設計されており、それにより隣接する金属板棚板(122)は互いに相補うようにフック結合できる。
【００１４】
以上、本考案は拡充可能な組み立て式棚であり、棚板の四つのコーナーに組み立てられた連結フックのフック部が連結フックの上面と下面の間の厚さの１／２の厚さで設計が行なわれることにより、連結フックの組立部が、各異なる材質の棚板各異なる形態に対応して適合するように設計されることで、棚板の左右両側の連結フックは逆向きに対向するように配置される。組み立て式棚の横方向へ拡充したいというニーズがある場合、一つの連結枠棒及び複数の棚板を容易に増加できることができ、組み立て式棚の拡充作業を簡単に完成させることができる。また、組み立て式棚の既存の組み立て関係や使用状況にはまったく影響しない。全体として非常に良好な産業上の利用価値と利便性を有する。
【００１５】
まとめると、本考案の組み立て式棚は、革新的な構造と組合せ設計により、特に組み立て式棚の既存の組み立て作業及び使用機能には影響が及ばない状況のもとで、組み立て式棚を拡充しようとする時、一つの連結枠棒を増加させるだけでよく、また棚板両側のコーナーの連結フックが逆向きに対向する形態を呈するように配置することで、増設しようとする棚板を既存の組み立て式棚の連結枠棒と新規の連結枠棒との間にフック組み立てすることができるほか、隣接する棚板の連結フックのフック部はちょうど互いに相補うようにオーバーラップして組み立て式棚の拡充という効果を達成する。よって本考案を出願する。
【符号の説明】
【００１６】
(10)        組み立て式棚、
(11)        連結枠棒、
(20)        棚板、
(21)        切り欠き、
(22)        穿孔、
(30)        連結フック、
(31)        組立部、
(32)        フック部、
(33)        階段抵触部、
(34)        凸嵌柱、
(35)        フック溝、
(40)        棚板、
(41)        差込口、
(50)        連結フック、
(51)        組立部、
(52)        枠槽、
(53)        挿入棒、
(54)        フック部、
(60)        棚板、
(61)        金属枠、
(62)        ガラス板、
(63)        差込口、
(70)        連結フック、
(71)        組立部、
(72)        枠槽、
(73)        挿入棒、
(74)        フック部、
(80)        棚板、
(81)        側辺双棒、
(82)        端棒、
(90)        連結フック、
(91)        組立部、
(92)        嵌め溝、
(93)        穿孔、
(94)        フック部、
(100)        棚板、
(101)        ボルトとナットのセット、
(110)        連結フック、
(111)        組立部、
(112)        嵌め溝、
(113)        穿孔、
(114)        フック部、
(121)        連結枠棒、
(122)        棚板、
(123)        穿孔、
(130)        連結フック、
(131)        組立部、
(132)        階段抵触部、
(133)        凸嵌柱、
(134)        フック部、
(135)        フック溝。
【図１】
0003227864.tif 000003
【図２】
0003227864.tif 000004
【図３】
0003227864.tif 000005
【図４】
0003227864.tif 000006
【図５】
0003227864.tif 000007
【図６】
0003227864.tif 000008
【図７】
0003227864.tif 000009
【図８】
0003227864.tif 000010
【図９】
0003227864.tif 000011
【図１０】
0003227864.tif 000012
【図１１】
0003227864.tif 000013